【手続補正書】
【提出日】平成21年3月3日(2009.3.3)
【手続補正１】
【補正対象書類名】特許請求の範囲
【補正対象項目名】全文
【補正方法】変更
【補正の内容】
【特許請求の範囲】
【請求項１】
分光測定（spectrometry）において用いられる信号処理方法であって、
サンプル信号のサンプル時間領域波形と基準信号の基準時間領域波形とを取得するステップと、
前記サンプル時間領域波形に適用するサンプル・アポダイゼーション波形と前記基準時間領域波形に適用する基準アポダイゼーション波形とを取得するステップであって、前記アポダイゼーション波形はそれぞれが第１のセグメントと前記第１のセグメントの終点から伸長する第２のセグメントとを含み、前記サンプル及び基準アポダイゼーション波形のそれぞれの前記第１のセグメントは実質的に同じ長さの延長を有し（coextensive in length）実質的に同じ一定で非ゼロのウェイト・プロファイルを表す大きさを有し、前記サンプル及び基準アポダイゼーション波形のそれぞれの前記第２のセグメントは非線形で減衰型のウェイト・プロファイルを表す大きさを有する、ステップと、
前記サンプル及び基準アポダイゼーション波形を前記サンプル及び基準時間領域波形に適用するステップであって、前記実質的に同じ一定で非ゼロのウェイト・プロファイルが前記サンプル及び基準時間領域波形の対応する実質的に同じ延長を有する範囲に適用され、結果的にアポダイゼーションのなされたサンプル及び基準時間領域波形を生じる、ステップと、
前記アポダイゼーションのなされたサンプル及び基準時間領域波形を対応するサンプル及び基準周波数領域スペクトル波形に変換するステップと、
基準となる（referenced）スペクトル分析波形を、前記基準スペクトル波形に対する前記サンプル・スペクトル波形の比率として発生するステップであって、前記スペクトル分析波形は、前記アポダイゼーションのなされたサンプル及び基準時間領域波形の対応する同じ延長を有する範囲と関連する周波数を実質的に除外している、ステップと、
を含むことを特徴とする方法。
【請求項２】
請求項１記載の方法において、
前記サンプル・アポダイゼーション波形の前記第１のセグメントに、前記基準アポダイゼーション波形の前記第１のセグメントの長さよりも短い長さを提供するステップを更に含むことを特徴とする方法。
【請求項３】
請求項２記載の方法において、
前記サンプル時間領域波形に適用されるときに、前記サンプル・アポダイゼーション波形の前記第２のセグメントに、第１のウェイト・プロファイルを提供するステップと、
前記基準時間領域波形に適用されるときに、前記基準アポダイゼーション波形の前記第２のセグメントに、前記第１のウェイト・プロファイルとは異なる第２のウェイト・プロファイルを提供するステップと、
を更に含むことを特徴とする方法。
【請求項４】
請求項１記載の方法において、
前記基準アポダイゼーション波形の前記第１のセグメントに、前記サンプル・アポダイゼーション波形の前記第１のセグメントの長さよりも短い長さを提供するステップを更に含むことを特徴とする方法。
【請求項５】
請求項４記載の方法において、
前記サンプル時間領域波形に適用されるときに、前記サンプル・アポダイゼーション波形の前記第２のセグメントに、第１のウェイト・プロファイルを提供するステップと、
前記基準時間領域波形に適用されるときに、前記基準アポダイゼーション波形の前記第２のセグメントに、前記第１のウェイト・プロファイルとは異なる第２のウェイト・プロファイルを提供するステップと、
を更に含むことを特徴とする方法。
【請求項６】
請求項１記載の方法において、前記アポダイゼーション波形の前記第２のセグメントは、余弦、バーレット（Barlett）、ブラックマン（Blackman）、コンヌ（Connes）、ガウシアン（Gaussian）、ローレンシアン（Lorentzian）、ハミング（Hamming）、ノートン・ビア（Norton-Beer）、ハニング（Hanning）又はウェルチ（Welch）波形を含むことを特徴とする方法。
【請求項７】
請求項１記載の方法において、
前記サンプル時間領域波形に適用されるときに、前記サンプル・アポダイゼーション波形の前記第２のセグメントに、第１の減衰速度を有するウェイト・プロファイルを提供するステップと、
前記基準時間領域波形に適用されるときに、前記基準アポダイゼーション波形の前記第２のセグメントに、前記第１の減衰速度とは異なる第２の減衰速度を有するウェイト・プロファイルを提供するステップと、
を更に含むことを特徴とする方法。
【請求項８】
請求項１記載の方法において、
前記サンプル時間領域波形に適用されるときに、前記サンプル・アポダイゼーション波形の前記第２のセグメントに、第１のウェイト・プロファイルを提供するステップと、
前記基準時間領域波形に適用されるときに、前記基準アポダイゼーション波形の前記第２のセグメントに、前記ウェイト・プロファイルとは異なる第２のウェイト・プロファイルを提供するステップと、
を更に含むことを特徴とする方法。
【請求項９】
請求項１記載の方法において、前記サンプル時間領域波形と前記基準時間領域波形とは１又は複数の化学物質の光学応答信号を表し、前記基準となるスペクトル分析波形は前記１又は複数の化学物質の吸光度（optical absorbance）又は反射スペクトルを表すことを特徴とする方法。
【請求項１０】
請求項９記載の方法において、前記サンプル及び基準時間領域波形の対応する同じ延長を有する範囲への実質的に同じウェイトの適用の結果として、スペクトル分析波形からの前記１又は複数の化学物質の光学的応答信号と実質的に無関係の周波数の除外が生じることを特徴とする方法。
【請求項１１】
請求項９記載の方法において、前記１又は複数の化学物質は固体、液体、気体又はそれらの中間的な段階であることを特徴とする方法。
【請求項１２】
請求項１記載の方法において、
フーリエ変換分光測定装置を用いて前記サンプル時間領域波形を取得するステップを更に含むことを特徴とする方法。
【請求項１３】
請求項１２記載の方法において、前記フーリエ変換分光測定装置はフーリエ変換赤外分光測定（ＦＴＩＲ）装置であることを特徴とする方法。
【請求項１４】
請求項１記載の方法において、前記サンプル信号と前記基準信号とは同一であり、この方法は、
前記サンプル時間領域波形をコピーすることによって前記基準時間領域波形を発生するステップを更に含むことを特徴とする方法。
【請求項１５】
請求項１記載の方法において、前記サンプル信号と前記基準信号とは同一であり、この方法は、
前記サンプル時間領域波形の範囲を打ち切ることによって前記基準時間領域波形を発生するステップを更に含むことを特徴とする方法。
【請求項１６】
請求項１記載の方法において、前記サンプル時間領域波形は、実験的測定又は理論的計算を通じて取得されることを特徴とする方法。
【請求項１７】
自己基準型の信号分光測定（auto referenced signal spectrometry）において用いられる信号処理方法であって、
サンプル信号のサンプル時間領域波形を取得するステップと、
前記サンプル時間領域波形から基準時間領域波形を発生するステップと、
前記サンプル時間領域波形に適用するサンプル・アポダイゼーション波形と前記基準時間領域波形に適用する基準アポダイゼーション波形とを取得するステップであって、前記アポダイゼーション波形はそれぞれが第１のセグメントと前記第１のセグメントの終点から伸長する第２のセグメントとを含み、前記サンプル及び基準アポダイゼーション波形のそれぞれの前記第１のセグメントは実質的に同じ長さの延長を有し実質的に同じ一定で非ゼロのウェイト・プロファイルを表す大きさを有し、前記サンプル及び基準アポダイゼーション波形のそれぞれの前記第２のセグメントは非線形で減衰型のウェイト・プロファイルを表す大きさを有する、ステップと、
前記サンプル及び基準アポダイゼーション波形を前記サンプル及び基準時間領域波形に適用するステップであって、前記実質的に同じ一定で非ゼロのウェイト・プロファイルが前記サンプル及び基準時間領域波形の対応する実質的に同じ延長を有する範囲に適用され、結果的にアポダイゼーションのなされたサンプル及び基準時間領域波形を生じる、ステップと、
前記アポダイゼーションのなされたサンプル及び基準時間領域波形を対応するサンプル及び基準周波数領域スペクトル波形に変換するステップと、
自己基準型のスペクトル分析波形を、前記基準スペクトル波形に対する前記サンプル・スペクトル波形の比率として発生するステップであって、前記自己基準型のスペクトル分析波形は、前記アポダイゼーションのなされたサンプル時間領域波形の前記第１の範囲から発生される周波数を実質的に除外している、ステップと、
を含むことを特徴とする方法。
【請求項１８】
請求項１７記載の方法において、前記サンプル時間領域波形の範囲を打ち切ることによって前記サンプル時間領域波形から前記基準時間領域波形を発生するステップを更に含むことを特徴とする方法。
【請求項１９】
分光測定において用いられる信号処理方法であって、
サンプル信号からサンプル時間領域波形を取得するステップと、
前記サンプル時間領域波形に適用するアポダイゼーション波形を取得するステップであって、前記アポダイゼーション波形は第１のセグメントと前記第１のセグメントの終点から伸長する第２のセグメントとを含み、前記第１のセグメントは実質的に一定で非ゼロのウェイト・プロファイルを表す大きさを有し、前記第２のセグメントは実質的に非線形の減衰型ウェイト・プロファイルを表す大きさを有する、ステップと、
前記アポダイゼーション波形を前記サンプル時間領域波形に適用し、結果的にアポダイゼーションのなされた時間領域波形を生じる、ステップと、
前記アポダイゼーションのなされたサンプル時間領域波形を対応する周波数領域スペクトル波形に変換するステップと、
前記サンプル時間領域波形からのランダム・ノイズと打ち切り誤差とに関連する周波数とアーチファクトとを実質的に除外するスペクトル分析波形を発生するステップと、
を含むことを特徴とする方法。
【請求項２０】
自己基準型の信号分光測定において用いられる信号処理装置であって、
サンプル信号のサンプル時間領域波形を取得するプロセッサを含んでおり、
前記プロセッサは、前記サンプル時間領域波形から基準時間領域波形を発生し、
前記プロセッサは、前記サンプル時間領域波形に適用するサンプル・アポダイゼーション波形と前記基準時間領域波形に適用する基準アポダイゼーション波形とを取得し、前記アポダイゼーション波形はそれぞれが第１のセグメントと前記第１のセグメントの終点から伸長する第２のセグメントとを含み、前記サンプル及び基準アポダイゼーション波形のそれぞれの前記第１のセグメントは実質的に同じ長さの延長を有し実質的に同じ一定で非ゼロのウェイト・プロファイルを表す大きさを有し、前記サンプル及び基準アポダイゼーション波形のそれぞれの前記第２のセグメントは非ゼロで減衰型のウェイト・プロファイルを表す大きさを有し、
前記プロセッサは、前記サンプル及び基準アポダイゼーション波形を前記サンプル及び基準時間領域波形に適用し、前記実質的に同じ一定で非ゼロのウェイト・プロファイルが前記サンプル及び基準時間領域波形の対応する実質的に同じ延長を有する範囲に適用され、結果的にアポダイゼーションのなされたサンプル及び基準時間領域波形を生じ、
前記プロセッサは、前記アポダイゼーションのなされたサンプル及び基準時間領域波形を対応するサンプル及び基準周波数領域スペクトル波形に変換し、
前記プロセッサは、自己基準型のスペクトル分析波形を、前記基準スペクトル波形に対する前記サンプル・スペクトル波形の比率として発生し、前記自己基準型のスペクトル分析波形は、前記アポダイゼーションのなされたサンプル時間領域波形の前記第１の範囲から発生される周波数を実質的に除外することを特徴とする装置。
【請求項２１】
コンピュータ可読媒体において有体物として実現されており、信号分光測定において用いられるコンピュータ・プログラム製品であって、データ処理装置に、
サンプル信号のサンプル時間領域波形と基準信号の基準時間領域波形とを取得する動作と、
前記サンプル時間領域波形に適用するサンプル・アポダイゼーション波形と前記基準時間領域波形に適用する基準アポダイゼーション波形とを取得する動作であって、前記アポダイゼーション波形はそれぞれが第１のセグメントと前記第１のセグメントの終点から伸長する第２のセグメントとを含み、前記サンプル及び基準アポダイゼーション波形のそれぞれの前記第１のセグメントは実質的に同じ長さの延長を有し実質的に同じ一定で非ゼロのウェイト・プロファイルを表す大きさを有し、前記サンプル及び基準アポダイゼーション波形のそれぞれの前記第２のセグメントは非線形で減衰型のウェイト・プロファイルを表す大きさを有する、動作と、
前記サンプル及び基準アポダイゼーション波形を前記サンプル及び基準時間領域波形に適用する動作であって、前記実質的に同じ一定で非ゼロのウェイト・プロファイルが前記サンプル及び基準時間領域波形の対応する実質的に同じ延長を有する範囲に適用され、結果的にアポダイゼーションのなされたサンプル及び基準時間領域波形を生じる、動作と、
前記アポダイゼーションのなされたサンプル及び基準時間領域波形を対応するサンプル及び基準周波数領域スペクトル波形に変換する動作と、
基準となるスペクトル分析波形を、前記基準スペクトル波形に対する前記サンプル・スペクトル波形の比率として発生する動作であって、前記スペクトル分析波形は、前記アポダイゼーションのなされたサンプル及び基準時間領域波形の対応する同じ延長を有する範囲と関連する周波数を実質的に除外している、動作と、
を実行可能な命令を含むことを特徴とするコンピュータ・プログラム製品。
【請求項２２】
コンピュータ可読媒体において有体物として実現されており、自己基準型の信号分光測定において用いられるコンピュータ・プログラム製品であって、データ処理装置に、
サンプル信号のサンプル時間領域波形を取得する動作と、
前記サンプル時間領域波形から基準時間領域波形を発生する動作と、
前記サンプル時間領域波形に適用するサンプル・アポダイゼーション波形と前記基準時間領域波形に適用する基準アポダイゼーション波形とを取得する動作であって、前記アポダイゼーション波形はそれぞれが第１のセグメントと前記第１のセグメントの終点から伸長する第２のセグメントとを含み、前記サンプル及び基準アポダイゼーション波形のそれぞれの前記第１のセグメントは実質的に同じ長さの延長を有し実質的に同じ一定で非ゼロのウェイト・プロファイルを表す大きさを有し、前記サンプル及び基準アポダイゼーション波形のそれぞれの前記第２のセグメントは非線形で減衰型のウェイト・プロファイルを有する、動作と、
前記サンプル及び基準アポダイゼーション波形を前記サンプル及び基準時間領域波形に適用する動作であって、前記実質的に同じ一定で非ゼロのウェイト・プロファイルが前記サンプル及び基準時間領域波形の対応する実質的に同じ延長を有する範囲に適用され、結果的にアポダイゼーションのなされたサンプル及び基準時間領域波形を生じる、動作と、
前記アポダイゼーションのなされたサンプル及び基準時間領域波形を対応するサンプル及び基準周波数領域スペクトル波形に変換する動作と、
自己基準型のスペクトル分析波形を、前記基準スペクトル波形に対する前記サンプル・スペクトル波形の比率として発生する動作であって、前記自己基準型のスペクトル分析波形は、前記アポダイゼーションのなされたサンプル時間領域波形の前記第１の範囲から発生される周波数を実質的に除外している、動作と、
を実行可能な命令を含むことを特徴とするコンピュータ・プログラム製品。
【請求項２３】
コンピュータ可読媒体において有体物として実現されており、信号分光測定において用いられるコンピュータ・プログラム製品であって、データ処理装置に、
サンプル信号からサンプル時間領域波形を取得する動作と、
前記サンプル時間領域波形に適用するアポダイゼーション波形を取得する動作であって、前記アポダイゼーション波形は第１のセグメントと前記第１のセグメントの終点から伸長する第２のセグメントとを含み、前記第１のセグメントは実質的に一定で非ゼロのウェイト・プロファイルを表す大きさを有し、前記第２のセグメントは実質的に非線形の減衰型ウェイト・プロファイルを表す大きさを有する、動作と、
前記アポダイゼーション波形を前記サンプル時間領域波形に適用し、結果的にアポダイゼーションのなされた時間領域波形を生じる、動作と、
前記アポダイゼーションのなされたサンプル時間領域波形を対応する周波数領域スペクトル波形に変換する動作と、
前記サンプル時間領域波形からのランダム・ノイズと打ち切り誤差とに関連する周波数とアーチファクトとを実質的に除外するスペクトル分析波形を発生する動作と、
を実行可能な命令を含むことを特徴とするコンピュータ・プログラム製品。
【請求項２４】
請求項１記載の方法において、前記サンプル・アポダイゼーション波形の前記第１のセグメントの長さと前記基準アポダイゼーション波形の前記第１のセグメントの長さとは調整が可能であることを特徴とする方法。